(57)【要約】【課題】多様な入出力を行う環境下でも効果的に透かしを用いる。【解決手段】画像処理装置は、原稿の画像を副走査方向に相対移動して読み取るスキャナと、このスキャナで読み取られた画像データを主走査方向に変倍する主走査変倍部と、スキャナで読み取られた画像データを副走査方向に変倍する副走査変倍部と、上記スキャナで読み取られた画像データ透かし情報を検出する透かし検出部と、上記スキャナと主走査変倍部と副走査変倍部とに所望の倍率に応じて指示を与える制御回路とから構成される。【選択図】図１
2006262487.tif 000002
【特許請求の範囲】
【請求項１】
原稿の画像を副走査方向に相対移動して読み取る画像入力手段と、
この画像入力手段で読み取られた画像データを変倍する変倍手段と、
上記画像入力手段、上記変倍手段とに所望の倍率に応じて指示を与える変倍指示手段と、
上記画像入力手段で読み取られた画像データから透かし情報を検出する透かし検出手段と、
を具備したことを特徴とする画像処理装置。
【請求項２】
原稿の画像を副走査方向に相対移動して読み取る画像入力手段と、
この画像入力手段で読み取られた画像データを主走査方向に変倍する第１の変倍手段と、
上記画像入力手段で読み取られた画像データを副走査方向に変倍する第２の変倍手段と、
上記画像入力手段、上記第１の変倍手段、上記第２の変倍手段とに所望の倍率に応じて指示を与える変倍指示手段と、
上記画像入力手段で読み取られた画像データから透かし情報を検出する透かし検出手段と、
を具備したことを特徴とする画像処理装置。
【請求項３】
原稿の画像を副走査方向に相対移動して読み取る画像入力手段と、
この画像入力手段で読み取られた画像データを主走査及び副走査方向に変倍を行って変倍画像データを出力する変倍手段と、
上記画像入力手段と上記変倍手段とに変倍を指示する変倍指示手段と、
上記画像入力手段で読み取られた画像データから透かし情報を検出する透かし検出手段と、
この透かし検出手段で検出される透かし情報を用いる機能を選択指示する選択指示手段と、
この選択指示手段からの選択指示に応じて上記変倍指示手段の指示内容を切り替える制御を行う制御手段と、
を具備したことを特徴とする画像処理装置。
【請求項４】
原稿の画像を副走査方向に相対移動して読み取る画像入力手段と、
この画像入力手段で読み取られた画像データを主走査及び副走査方向に縮小する第１の縮小手段と、
上記画像入力手段と上記第１の縮小手段とに指示する第１の指示手段と、
上記画像入力手段で読み取られた画像データから透かし情報を検出する透かし検出手段と、
上記第1の縮小手段で縮小された画像データを蓄積する蓄積手段と、
この蓄積手段に蓄積された画像データを読み出す読み出し手段と、
この読み出し手段で読み出された画像データを縮小する第２の縮小手段と、
複数の縮小画像データを結合する結合手段と、
上記透かし検出手段の検出結果に応じて、上記読み出し手段、上記第２の縮小手段、上記結合手段とに指示する第２の指示手段と、
上記結合手段で結合された画像データを出力する出力手段と、
を具備したことを特徴とする画像処理装置。
【請求項５】
原稿の画像データを入力する画像入力手段と、
上記画像入力手段から入力された画像データを処理する画像処理手段と、
この画像処理手段に画像処理を指示する処理指示手段と、
この処理指示手段の指示内容に関わらず、上記画像入力手段から入力された画像データから画像管理レベルを含む複数レベルの透かし情報を検出する透かし検出手段と、
上記画像処理手段で画像処理された画像データを出力する出力手段と、
を具備したことを特徴とする画像処理装置。
【請求項６】
原稿の画像データを入力する画像入力手段と、
この画像入力手段から入力された画像データを変倍する変倍手段と、
この変倍手段に変倍率を指示する変倍率指示手段と、
この変倍指示手段の指示内容に関わらず、上記画像入力手段から入力された画像データから画像管理レベルを含む透かし情報を検出する透かし検出手段と、
上記変倍手段からの変倍画像を出力する出力手段と、
を具備したことを特徴とする画像処理装置。
【請求項７】
原稿の画像データを入力する画像入力手段と、
この画像入力手段から入力された画像データを変倍する変倍手段と、
この変倍手段に変倍率を指示する変倍率指示手段と、
上記画像入力手段から入力された画像データから透かし情報を検出する透かし検出手段と、
この透かし検出手段からの検出結果を用いて複数の処理を行う処理手段と、
上記変倍指示手段で指示された変倍率に応じて、上記処理手段で行われた処理メニューを表示する表示手段と、
を具備したことを特徴とする画像処理装置。
【請求項８】
原稿の画像データを入力する画像入力手段と、
この画像入力手段から入力された画像データが単頁または複数頁から構成されているかを検出する頁構成検出手段と、
この頁構成検出手段からの頁構成検出結果を用いて、上記画像入力手段から入力された画像データを縮小する縮小手段と、
上記頁構成検出手段からの頁構成検出結果を用いて、上記画像データの複数頁の縮小画像データを結合する画像結合手段と、
この画像結合手段で結合された画像データを出力する出力手段と、
を具備したことを特徴とする画像処理装置。
【発明の詳細な説明】
【技術分野】
【０００１】
この発明は、透かし技術を用いて画像を処理する画像処理装置に関する。
【背景技術】
【０００２】
近年、データ管理の重要性から、暗号技術や電子透かし技術が様々な分野で用いられているが、デジタルでクローズしたシステムだけでなく、デジタル複写機の様なデジタルとアナログが混在するシステムにおいても同様である。
【０００３】
透かし技術については、例えば、特許文献１〜４に記載されている。
【０００４】
特許文献１に示される技術は、スキャナにおいて読み取りデータに対して透かし検出を行い、透かしの有無により透かし検出結果の通知や、ユーザ認証等と組み合わせて透かしを除去する技術が開示されている。
【０００５】
特許文献２に示される技術は、スキャンした文書画像から透かしで埋め込まれているインデックスを抽出し、対応する文書画像を別途格納場所より読み出し、スキャン画像の変わりに印字し、無い場合はスキャン画像を印字する技術が開示されている。
【０００６】
特許文献３に示される技術は、複写機において、複数頁の画像を１枚に印字する機能、一般にＮｉｎ１と呼ばれる機能を提供する技術が開示されている。
【０００７】
特許文献４に示される技術は、スキャナにおいて、走査手段であるキャリッジ制御を特定倍率にのみ対応させ、その他の副走査倍率は信号処理で生成するよう構成されている。
【０００８】
透かし技術については、特許文献１〜２に示すように、印字に対する入れ方や、その情報を利用した機能が提案されている。これらの例は、不可視透かしと呼ばれる、知覚にし難い透かしだが、透かしのパターンとしては可視透かしと呼ばれる意図的に知覚される情報を原稿画像に重ねて印字されることもある。
【０００９】
一方、複写機やプリンタの機能は透かしだけでなく、特許文献３に示すようにＮｉｎ１と呼ばれる１枚に複数の入力画像を印字する機能も提供されている。また、実際の複写機においては単純に入力原稿と同じ大きさの出力結果を得るだけではなく、拡大・縮小印字を行う機能もある。Ｎｉｎ１はその機能を利用した新たな機能の１つであるが、画像入力部で機械的に全ての倍率のデータを生成することはコストアップに繋がるため、文献４のような技術も提案されている。
【００１０】
しかしながら、特許文献１〜２に示すように、透かしの印字及び透かしを用いた機能は提案されているが、特許文献３〜４に示すような、多様な入出力パターンと組み合わせた場合に、どの様に透かしを印加し、読み取るかといった点は明らかでない。
【００１１】
そのため、個々の機能を単独で提供をすることができても、実際に各機能を組み合わせて利用することが困難であった。
【特許文献１】特開２００３−１３４３２７号公報
【特許文献２】特開２００４−４６３７４号公報
【特許文献３】特開平３−２３３５７８号公報
【特許文献４】特開２００１−７７９８０号公報
【発明の開示】
【発明が解決しようとする課題】
【００１２】
この発明の目的は、多様な入出力を行う環境下でも効果的に透かしを用いた画像処理装置を提供することである。
【課題を解決するための手段】
【００１３】
この発明の画像処理装置は、原稿の画像を副走査方向に相対移動して読み取る画像入力手段と、この画像入力手段で読み取られた画像データを主走査方向に変倍する第１の変倍手段と、上記画像入力手段で読み取られた画像データを副走査方向に変倍する第２の変倍手段と、上記画像入力手段、上記第１の変倍手段、上記第２の変倍手段とに所望の倍率に応じて指示を与える変倍指示手段と、上記画像入力手段で読み取られた画像データから透かし情報を検出する透かし検出手段とから構成されている。
【発明の効果】
【００１４】
本発明の画像処理装置は、多様な入出力を行う環境下でも効果的に透かしを用いることが可能となる。
【発明を実施するための最良の形態】
【００１５】
以下、図面を参照して、この発明の実施の形態について詳細に説明する。
【００１６】
図１は、この発明の画像処理装置に係る第１実施例のデジタル複合機（ＭＦＰ）の概略構成を示すものである。
【００１７】
すなわち、第１実施例のデジタル複合機は、制御回路１０００、スキャナ１００１−１、主走査変倍部１００２−１、副走査変倍部１００３−１、透かし検出部１００４−１、メモリ１００５−１、大容量ストレージメディア１００６−１、プリンタ１００７−１、及び読み出し制御手段１００８−１とから構成されている。
【００１８】
制御回路１０００は、デジタル複合機の全体の制御を司る。
【００１９】
スキャナ１００１−１は、原稿の画像を入力する。
【００２０】
主走査変倍部１００２−１は、変倍指示によって、スキャナ信号１０１０−１を主走査方向に変倍する。
【００２１】
副走査変倍部１００３−１は、変倍指示によって、主走査変倍信号１０１１−１を副走査変倍する。
【００２２】
透かし検出部１００４−１は、スキャナ信号１０１０−１から透かしを検出する。
【００２３】
メモリ１００５−１は、変倍の終了した画像データ１０１２−１、もしくは読み出し制御手段１００８−１により読み出した画像データ１０１４−１を格納する。
【００２４】
大容量ストレージメディア１００６−１は、透かし検出結果１０１３−１等のデータを格納するハードディスク装置である（以下、ＨＤＤとして記述する）。
【００２５】
プリンタ１００７−１は、メモリ１００５−１から読み出した画像データ１０１５−１を印字する。
【００２６】
図２は、スキャナ１００１−１の外観構成を示すものである。図に示すように、一般にライン走査タイプと呼ばれる既知のスキャナである。本スキャナ１００１−１は、原稿を照射するランプ及びミラーユニット１００１−１−１、照射して原稿から反射した光をレンズユニット１００１−１−３に入射する第２ミラーユニット１００１−１−２、ランプ及びミラーユニット１００１−１−１と第２ミラーユニット１００１−１−２とを原稿台上を副走査方向に駆動するモータ１００１−１−４とから構成されている。
【００２７】
このスキャナ１００１−１は、例えば、１００％と５０％はキャリッジ動作で副走査変倍を実現するが、９９％〜５１％までは１００％から副走査変倍部１００３−１で変倍画像を生成し、４９％〜２５％は５０％から同様に生成するよう動作する。
【００２８】
一般的な本タイプのスキャナは機構の構成により、変倍処理から得られる画像信号１０１０−１は図３に示す形状である。主走査は変倍指示に関わらず１００％の画像であるが、副走査はセンサ（図示せず）を機械的に走査させる速度を変えて読み込むため、最初から縮小された画像データがデジタルに生成される。
【００２９】
図４は、透かし検出部１００４−１の概略構成を示すものである。透かし検出部１００４−１は、主走査周期分析部１００４−１−１、副走査周期分析部１００４−１−２、分析ＴＢＬ（１）１００４−１−３（以下、分析ＴＢＬ１と記述する）、分析ＴＢＬ（２）１００４−１−４（以下、分析ＴＢＬ２と記述する）、及び統合分析部１００４−１−５とから構成されている。
【００３０】
主走査周期分析部１００４−１−１は、透かし検出部入力画像信号１０１０−１を分析ＴＢＬ１の値を用いて主走査周期分析結果を出力する。
【００３１】
副走査周期分析部１００４−１−２は、同様に分析ＴＢＬ２の値を用いて副走査周期分析結果を出力する。
【００３２】
統合分析部１００４−１−５は、両分析結果から統合的に分析結果１０１３−１を出力する。
【００３３】
なお、分析ＴＢＬ１、分析ＴＢＬ２、統合分析部１００４−１−５には、制御回路１０００から変倍指示信号１００４−１−５が入力される。
【００３４】
図５は、透かし検出部１００４−１における分析ＴＢＬ１、分析ＴＢＬ２の例を示すものである。分析ＴＢＬ１と分析ＴＢＬ２で変倍指示信号１００４−１−５用にＴＢＬ値を持っている（例えば１００％と５０％変倍）。主走査周期分析部１００４−１−１は主走査で動作し、所定の周期に対応するコード情報を分析ＴＢＬ１より参照し、副走査周期分析部１００４−１−２は副走査で動作し、所定の周期に対応するコード情報を分析ＴＢＬ２より参照する。
【００３５】
本実施例では、主走査１００％のみしか存在しない機器構成のため、分析ＴＢＬ１は変倍指示信号１００４−１−５によらず一定の値を出力する。分析ＴＢＬ２は、変倍指示信号１００４−１−５に応じて、解釈するコードを変えている。これは、変倍入力により本来のコードと解像度の関係がシフトしたからである。副走査方向は、１００％で３００ｄｐｉ周期で読み取れた情報は、入力されないことが判る。
【００３６】
図６は、周波数検知と解釈の例を示すものである。図６において、周波数検知の結果が同じでも、入力が１００％か５０％かで検知できる情報レベルに差があることがわかる。例えば、コードＡは文書番号とすると、ＨＤＤ１００６−１に当該番号の文書が格納されていか検索される。この当該番号の文書が有れば、ＨＤＤ１００６−１より文書１０１４−１が読み出され、必要であれば変倍されてメモリ１００５−１に格納される。この当該番号の文書が無ければ、変倍後のスキャン画像データ１０１２−１がメモリ１００５−１に格納される。
【００３７】
それにより、格納済みの文書データを入力画像データの代わりに利用して、印字利用するので高画質なデータの利用ができる。しかも、統合分析部１００４−１−５で、主走査と副走査の分析結果に対して主走査分析結果を優先して採用すれば、入力は１００％によらず、変倍にも対応できるので、透かしを利用した機能の提供範囲を広げることができる。
【００３８】
また、複数枚の画像をまとめて、検知、格納を行うように構成することで、検知手段でページ番号を検知し、適当に入力した原稿を透かし情報を用いることで正しく並べ替えた出力画像データを得ることが出来る。当然、ユーザが意図してページ番号を不揃いにすることもあるので、モードキーで選択を出来るようにしておくことで使い勝手を向上させることができる。
【００３９】
なお、本実施例では、検知結果を解釈するＴＢＬを変更したが、最初から検知側を、変倍指示信号１００４−１−５に合わせて変える構成も取ることが出来る。
【００４０】
また、周波数検知の例として、単純に主・副走査を個別に解釈する例を示したが、斜め方向にパターンを入れる場合も同様の考え方で実現することができ、主走査単独に対して副走査の影響を受けるので、その重なりを考慮して検知を行えばよい。しかも、本実施例の様に、機械的な副走査倍率が制限されるスキャナでは、考慮すべき周波数も少なくて済み設計自由度が向上する。しかしながら、スキャナ構成も本実施例に限定されるわけではなく、従来の様な各倍率を機械的に生成するタイプでも機能を適用することができる。
【００４１】
次に、第１実施例の変形例について説明する。
【００４２】
図７は、第１実施例の変形例のデジタル複合機（ＭＦＰ）の概略構成を示すものである。すなわち、第１実施例の変形例のデジタル複合機は、制御回路１０００、スキャナ１００１−２、レイアウト解析部１００２−２、透かし検出部１００３−２、メモリ１００４−２、大容量ストレージメディア（ＨＤＤ）１００５−２、変倍部１００６−２、プリンタ１００７−２、及び読み出し制御手段１００８−２とから構成されている。
【００４３】
スキャナ１００１−２からの画像信号１０１０−２は、既知のレイアウト解析部１００２−２、透かし検出部１００３−２、メモリ１００４−２に入力される。透かし検出部１００３−２は、レイアウト解析結果１０１２−２を用いて透かしを検出し、透かし検出信号１０１１−２を出力する。透かし検出信号１０１１−２に応じて、読み出し制御手段１００８−２は、ＨＤＤ１００５−２から画像データ１０１３−２を読み出し、変倍部１００６−２で変倍した信号１０１４−２をメモリ１００４−２に格納する。そして、メモリ１００４−２からは、スキャナ１００１−２からの画像信号１０１０−２かＨＤＤ１００５−２からの信号１０１４−２のいずれかを、プリンタ１００７−２に出力する。
【００４４】
図８は、この動作例を示すものである。すなわち、レイアウト解析結果により２ｉｎ１画像と解釈された際、そのレイアウト情報１０１２−２を受け、透かし検出部１００３−２は、夫々の文書エリアの透かしを検知し、文書番号と頁番号を得る。続いて、ＨＤＤ１００５−２で当該文書及びページが検索され、当該文書及びページが読み出され後、変倍部１００６−２で変倍されてメモリ１００４−２に２ｉｎ１の画像を再現することができる。
【００４５】
従って、スキャン原稿でなく、蓄積データから直接画像が作成されるので高画質な画像を得ることができる。
【００４６】
また、２ｉｎ１画像を１頁単位に分解出力する処理も高画質に実現することができる。
【００４７】
本実施例では、レイアウト解析部を用いたが、レイアウト情報が最初からＮｉｎ１画像に埋め込まれていれば、同様の機能がレイアウト機能なしでも実現することができる。
【００４８】
また、逆に透かしより検知したレイアウト情報をレイアウト解析部に入力すれば、Ｎｉｎ１画像という大きなレイアウトが判明しているので、その内部でより詳細に解析が行え、レイアウト解析精度が向上する構成を取ることもできる。
【００４９】
次に、第２実施例について説明する。
【００５０】
図９は、第２実施例のデジタル複合機（ＭＦＰ）の概略構成を示すものである。すなわち、第２実施例のデジタル複合機は、制御回路２０００、スキャナ２００１−１、主走査変倍部２００２−１、副走査変倍部２００３−１、透かし検出部２００４−１、メモリ２００５−１、大容量ストレージメディア（ＨＤＤ）２００６−１、プリンタ２００７−１、読み出し制御手段１００８−１、コントロールパネル２００９−１、及びゲート２０１８−１とから構成されている。
【００５１】
コントロールパネル２００９−１と、制御信号２０１６−１と制御信号２０１７−１とが明示的に記述された以外は第１実施例と同様であるので各部の構成についての説明は省略する。
【００５２】
図１０Ａ，１０Ｂは、コントロールパネル２００９−１上の表示動作例を示すものである。図１０Ａに示すように１００％複写モード時は、文書検索も利用できるが、図１０Ｂに示すように５０％複写モード時は、文書検索が利用できなくなっている。これは、図５で述べたように変倍によって検知レベルが変わるためで、本第２実施例では、主・副検知精度が揃わないと使用不可にさせる構成であり、変倍時に文書検索機能を使用不可とするものである。
【００５３】
図１０Ｂの時、制御信号２０１７−１は変倍５０％を指示する信号であり、制御信号２０１６−１は検索機能への指示、すなわち、ＨＤＤ２００６−１へのゲート２０１８−１を閉じる。
【００５４】
しかし、全ての透かし機能を中止するわけではなく、例えば、図５のコードＣを複写禁止有無の情報とすると、変倍時であっても検知できるので、複写禁止であれば、メモリ２００５−１にクリアの指示を出す。つまり、変倍の指示に応じて、透かしを利用した機能レベルを切り替える構成を取ることができ、それによって透かしの利用範囲を広げることができる。
【００５５】
また、複写禁止動作のような基本的な情報チェックは、変倍によらず実施するので安全に透かし情報を利用することができる。
【００５６】
また、本実施例では単純な変倍を例に挙げたが、Ｎｉｎ１コピーであっても同様に変倍を使用する機能であるので使用制限をすることができる。
【００５７】
次に、第２実施例の変形例について説明する。
【００５８】
図１１Ａ，１１Ｂは、第２実施例の変形例におけるコントロールパネル２００９−１上の表示動作例を示すものである。第２実施例の変形例では、図１１Ａ，１１Ｂに示すように、倍率を変えても文書検索機能が使えるようになっている。例えば、ユーザが文書検索を指示した場合、５０％変倍時のコントロールパネル２００９−１からの制御信号は、スキャナ２００１−１には１００％変倍の入力動作を行わせ、主走査変倍部２００２−１と副走査変倍部２００３−１とには５０％変倍で動作させる。つまり、文書検索を使う時は、スキャナ２００１−１のキャリッジ（図示しない）による変倍を行わず、信号処理のみで変倍動作が行われる。
【００５９】
こうすることにより、透かし検出部２００４−１は、変倍時であっても主・副の透かし検出を行うことができ、精度の良い文書検索機能を提供することが出来る。
【００６０】
当然、この場合、第２実施例と同様に、Ｎｉｎ１で逆に機能を提供できる形態となる。
【００６１】
次に、第３実施例について説明する。
【００６２】
図１２は、第３実施例のデジタル複合機（ＭＦＰ）の概略構成を示すものである。すなわち、第３実施例のデジタル複合機は、制御回路３０００、スキャナ３００１−１、主走査変倍部３００２−１、副走査変倍部３００３−１、透かし検出部３００４−１、結合制御部３００５−１、変倍部３００６−１、メモリ３００７−１、プリンタ３００８−１、及びコントロールパネル３００９−１とから構成されている。
【００６３】
本第３実施例では、ハードディスク装置が無く、メモリ３００７−１に対して結合制御を指示する結合制御部３００５−１と変倍部３００６−１とが追加された以外は基本的に第２実施例と同様である。
【００６４】
なお、本実施例の透かし情報には頁レイアウトが入っているものとする。
【００６５】
図１３は、第３実施例のコントロールパネル３００９−１の表示動作例を示すものである。図に示すように、２ｉｎ１に２つのモードを持っている『２ｉｎ１』と『ＡＩ２ｉｎ１』を夫々選択した場合のコントロールパネル３００９−１からの制御信号３０１７−１、３０１８−１によって、以下のように制御される。
【００６６】
『２ｉｎ１』の場合は、スキャナ３００１−１のキャリッジ（図示せず）が７１％駆動、主走査変倍が７１％、副走査変倍が１００％で指示される。透かし検出部３００４−１への指示は、複写禁止の有無検出のみである。
【００６７】
また、『ＡＩ２ｉｎ１』の場合は、スキャナ３００１−１のキャリッジ（図示せず）が１００％駆動、主走査変倍が１００％、副走査変倍が１００％で指示される。透かし検出部３００４−１への指示は、レイアウト情報抽出及び複写禁止検出のみである。
【００６８】
図１４は、『ＡＩ２ｉｎ１』の動作例を示すものである。
【００６９】
メモリ３００７−１へは、全て１００％で入力されるため、左端の絵（１，２，３，４，５，６，７）は原稿そのものである。つまり、２ｉｎ１と単１頁が混じった原稿である。
【００７０】
原稿１，２，５は、透かし検出部３００４−１で透かし情報からレイアウトが１頁であると判定され、原稿１と原稿２はそれぞれ７１％に変倍される。その後、結合制御部３００５−１の指示により、右端の様な２ｉｎ１画像データが生成される。原稿５は、続く原稿（６，７）が１頁で無いと判定されたので、白紙を挿入してやはり右端の２ｉｎ１画像データに変換される。原稿３，４、原稿６，７は２ｉｎ１が完成しているので、そのまま２ｉｎ１画像データとして出力される。
【００７１】
もし、本実施例の原稿を通常の『２ｉｎ１』で実施すれば、原稿３，４、原稿６，７が縮小されすぎ、全体のレイアウトも壊れてしまうことは明らかである。
【００７２】
以上説明したように上記第３実施例によれば、レイアウト検出結果を用いることでより高機能なＮｉｎ１の処理を実現することができる。
【００７３】
なお、第３実施例では、レイアウト検出に透かし情報を用いたが、もちろんこれに限るわけでなく既知のレイアウト解析手法を用いても良い。
【００７４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００７５】
【図１】第１実施例のデジタル複合機の概略構成を示すブロック図。
【図２】第１実施例のスキャナの外観構成を示す図。
【図３】入力信号のイメージを示す図。
【図４】第１実施例の透かし検出部の概略構成を示す図。
【図５】透かし検出部における分析ＴＢＬ１、分析ＴＢＬ２の例を示す図。
【図６】周波数検知と解釈の例を示す図。
【図７】第１実施例の変形例のデジタル複合機の概略構成を示すブロック図。
【図８】第１実施例の変形例の動作例を示す図。
【図９】第２実施例のデジタル複合機の概略構成を示すブロック図。
【図１０Ａ】コントロールパネル上の表示動作例を示す図。
【図１０Ｂ】コントロールパネル上の表示動作例を示す図。
【図１１Ａ】コントロールパネル上の表示動作例を示す図。
【図１１Ｂ】コントロールパネル上の表示動作例を示す図。
【図１２】第３実施例のデジタル複合機の概略構成を示すブロック図。
【図１３】コントロールパネル上の表示動作例を示す図。
【図１４】『ＡＩ２ｉｎ１』の動作例を示す図。
【符号の説明】
【００７６】
１０００…制御回路、１００１−１…スキャナ、１００２−１…主走査変倍部、１００３−１…副走査変倍部、１００４−１…透かし検出部、１００５−１…メモリ、１００６−１…大容量ストレージメディア、１００７−１…プリンタ、１００８−１…読み出し制御手段。
【図１】
2006262487.tif 000003
【図２】
2006262487.tif 000004
【図３】
2006262487.tif 000005
【図４】
2006262487.tif 000006
【図５】
2006262487.tif 000007
【図６】
2006262487.tif 000008
【図７】
2006262487.tif 000009
【図８】
2006262487.tif 000010
【図９】
2006262487.tif 000011
【図１０Ａ】
2006262487.tif 000012
【図１０Ｂ】
2006262487.tif 000013
【図１１Ａ】
2006262487.tif 000014
【図１１Ｂ】
2006262487.tif 000015
【図１２】
2006262487.tif 000016
【図１３】
2006262487.tif 000017
【図１４】
2006262487.tif 000018